(57)【要約】 【課題】本発明は、身体のあらゆる部分を刺激するマッサージ具に関する発明である。【解決手段】本発明は、内部に大小取り混ぜた複数の球体１０、１０、１０・・・を収納し両端部６ａ、６ａに波縫い状に通した口元紐７、７を引くことにより両端部６ａ、６ａが引き絞られて袋状に閉じることができる筒状の収納袋６と固さ調節紐８、８、８と固定紐９とからなる本体５と、側面に凹部４ｂを形成し中心に設けた空洞部４ａ、４ａに軸棒３を嵌挿させた押さえ部材４、４とからなる支持具２を筒状の収納袋６の中心に嵌通させたことを特徴とするマッサージ具１の構成とした。【選択図】  図１
2006326079.tif 000002
【特許請求の範囲】
【請求項１】
内部に大小取り混ぜた複数の球体を収納し両端部に波縫い状に通した口元紐を引くことにより両端部が引き絞られて袋状に閉じることができる筒状の収納袋と固さ調節紐と固定紐とからなる本体と、側面に凹部を形成し中心に設けた空洞部に軸棒を嵌挿させた押さえ部材とからなる支持具を筒状の収納袋の中心に嵌通させたことを特徴とするマッサージ具。
【請求項２】
内部に数カ所の貫通孔を設けた大小取り混ぜた複数の球体を収納し両端部に波縫い状に通した口元紐を引くことにより両端部が引き絞られて袋状に閉じることができる筒状の収納袋と固さ調節紐と固定紐とからなる本体と押さえ部材とからなることを特徴とする請求項１に記載のマッサージ具。
【発明の詳細な説明】
【技術分野】
【０００１】
本発明は、身体のあらゆる部分を刺激するマッサージ具に関する発明である。
【背景技術】
【０００２】
従来のマッサージ具は、固さや大きさ等の調節を自分でおこなうことはできなかった。
また使用方法がある程度決まっているものがほとんどで目的や用途に合わせて使用方法を変えたりすることができなかった。
【特許文献１】特開平０５−１６１５３２号公報
【特許文献２】特開平１１−００４８６２号公報
【発明の開示】
【発明が解決しようとする課題】
【０００３】
そこで、本発明は、固さや大きさ等を調節することができ、使用方法も目的や用途に合わせて自在に変えることができるマッサージ具を提供することを目的とするものである。
【課題を解決するための手段】
【０００４】
本発明は、上記の課題を解決するために、内部に大小取り混ぜた複数の球体１０、１０、１０・・・を収納し両端部６ａ、６ａに波縫い状に通した口元紐７、７を引くことにより両端部６ａ、６ａが引き絞られて袋状に閉じることができる筒状の収納袋６と固さ調節紐８、８、８と固定紐９とからなる本体５と、側面に凹部４ｂを形成し中心に設けた空洞部４ａ、４ａに軸棒３を嵌挿させた押さえ部材４、４とからなる支持具２を筒状の収納袋６の中心に嵌通させたことを特徴とするマッサージ具１の構成とした。
【発明の効果】
【０００５】
本発明のマッサージ具は、収納袋に収納する球体数や固さ調節紐及び固定紐を調節することにより固さや大きさ等を自分好みに変えることができる。また握持できる軸棒を設けたことにより目的や用途に合わせて様々な使い方ができる。
【発明を実施するための最良の形態】
【０００６】
固さや大きさ等を調節することができ、使用方法も目的や用途に合わせて自在に変えることができるマッサージ具という目的を、球体数や固さ調節紐及び固定紐の調節を可能としマッサージを行う本体部分に握持可能な軸棒を設けた構造とすることで実現した。
【実施例１】
【０００７】
以下に、添附図面に基づき、本発明であるマッサージ具１について詳細に説明する。図１は本発明であるマッサージ具の正面図、図２はマッサージ具の分解状態を示した図、図３はマッサージ具の平面図である。図１、図２に示すように、マッサージ具１は内部に複数の球体１０、１０、１０・・・を収納した収納袋６と収納袋６の端部６ａ、６ａを縛るための口元紐７、７と固さ調節紐８、８、８と固定紐９とからなる本体５と、押さえ部材４、４と軸棒３とからなる支持具２とからなる。
【０００８】
押さえ部材４、４は中心が空洞部４ａ、４ａとなっており、ここに軸棒３を嵌挿させる。軸棒３に嵌挿させた押さえ部材４、４はその位置を自在に動かすことができる。
【０００９】
図１、図２及び図３に示すように、押さえ部材４、４を嵌挿させた軸棒３とからなる支持具２を筒状の収納袋６の中心に嵌通させ、その収納袋６の内部に複数の球体１０、１０、１０・・・を収納することでマッサージ具１の本体５を形成してゆく。また、球体１０は直径約１ｃｍ〜５ｃｍほどの大小取り混ぜた大きさで、素材は木、プラスチック、ゴム等である。もちろん、素材は、これらに限定することはない。
【００１０】
収納袋６の両端部６ａ、６ａには口元紐７、７が波縫い状に通され、この口元紐７、７を引くことにより両端部６ａ、６ａが引き絞られて収納袋６を袋状に閉じることができる。この時両端部６ａ、６ａは口元紐７、７により引き絞られて押さえ部材４、４に形設された凹部４ｂ、４ｂに沿わせる形で固定される。
【００１１】
マッサージ具１を組み立てる際は、一方の口元紐７を引いてその端部６ａを引き絞り押さえ部材４の凹部４ｂに係止し収納袋６の片側の口を閉じた状態でもう片側の口の開いた端部６ａから大小取り混ぜた複数の球体１０、１０、１０・・・を入れてゆく。
【００１２】
収納袋６が内部に複数の球体１０、１０、１０・・・を入れることにより適度な固さになったら開いていた端部６ａを口元紐７を引き絞ってもう一方の押さえ部材４の凹部４ｂに係止し閉じる。これにより閉じた袋状の収納袋６の内部に複数の球体１０、１０、１０・・・が詰め込まれ複数の球体１０、１０、１０・・・による凹凸が出来た本体５の基本形が出来上がる。
【００１３】
この収納袋６に収納された球体１０、１０、１０・・・によって凹凸が出来た本体５をマッサージしたい箇所に当てることで指圧効果等のマッサージ効果を得る仕組みである。ちなみに収納袋６の素材はある程度の強度を保ち内部の球体１０、１０、１０・・・の形が感触として分かるものであれば布状でも網目状でもよい。
【００１４】
複数の球体１０、１０、１０・・・を詰め込んだ収納袋６の固さを調節するため、本体５には口元紐７に並行する形で３本の固さ調節紐８、８、８が設けられている。この固さ調節紐８、８、８を縛る強さにより収納袋６の固さを調節できる。
【００１５】
また、口元紐７、７に結ばれ固さ調節紐８、８、８とも連結された固定紐９を設けたことにより本体５の形や固さ等が固定される。
【００１６】
図４は本発明であるマッサージ具の斜視図である。図４に示すように、固さ調節紐８、８、８は連結部８ａ、８ａ、８ａにて固定紐９と連結される。
【００１７】
本体５の形状は基本的に俵状となるが、移動可能な押さえ部材４、４の位置ならびに収納袋６内部に収納する球体１０の数や固さ調節紐８、８、８及び固定紐９を縛る強さによっても調節可能である。
【００１８】
即ち、軽量小型で使用したい時等は収納袋６内部に収納する球体１０の数を少なめにした状態で固さ調節紐８、８、８及び固定紐９でしっかり固定し、収納袋６の両端部６ａ、６ａを係止した押さえ部材４、４の間隔を狭める事で本体５が縦横共に小さくなり、同時に軽量になる。
【００１９】
図５は本発明であるマッサージ具の使用方法を示した図である。図５に示すように、マッサージ具１は軸棒３を手１１で持ち、肩・背中１２等の患部に本体５を当ててマッサージするという使用方法がある。
【００２０】
図６は本発明であるマッサージ具の使用方法を示した図である。図６に示すように、マッサージ具１は軸棒３を手１１で持ち、足１３等の患部に本体５を当ててマッサージするという使用方法がある。
【００２１】
図５、図６では軸棒３を手１１で持ち、患部に本体５を当ててマッサージしているが、マッサージ具１を床等に置いた状態で使用すれば他者に頼らずマッサージすることも容易である。
【００２２】
図７は本発明であるマッサージ具の使用方法を示した図である。図７に示すように、マッサージ具１は本体５に頭・首１４を乗せ、枕のように使用することでマッサージ効果を得る使用方法がある。
【００２３】
マッサージ具１を枕代わりに使用することにより、本体５は寝ることができる場所であるならどこでもすぐに実行でき、しかも自ら身体を動かすことなく頭・首１４に指圧効果を与えることができる。
【実施例２】
【００２４】
図８は、本発明であるマッサージ具の第２実施例正面図である。
【００２５】
図８に示すように、マッサージ具１ａは第１実施例で示したマッサージ具１の構成に加えて収納袋６に収められた直径約１ｃｍ〜５ｃｍほどの大小取り混ぜた大きさの複数の球体１５に数カ所の貫通孔１５ａ、１５ａ、１５ａ・・が設けられている。球体の素材は木、プラスチック、ゴム等であるが、これらに限定することはない。
【００２６】
収納袋６に収められた複数の球体１５内部には、転がり摩擦あるいは体温移動等による発生熱が蓄えられる。球体１５に数カ所の貫通孔１５ａ、１５ａ、１５ａ・・を設けることで、外部空気との接触面積が増える。
【００２７】
球体１５の内部の蓄熱は、貫通孔１５ａ、１５ａ、１５ａ・・内外部空気と貫通孔１５ａ、１５ａ、１５ａ・・表面で自然熱交換されて拡散する。拡散後の貫通孔内外部空気は、貫通孔１５ａ、１５ａ、１５ａ・・内の自然貫流移動で貫通孔１５ａ、１５ａ、１５ａ・・外へ排出される。これら一連の熱交換排出で、球体１５内部の蓄熱が抑制される。
【００２８】
また、設けた貫通孔１５ａ、１５ａ、１５ａ・・内では、球体１５移動時の摩擦音が反響し合い、同時に貫通孔１５ａ、１５ａ、１５ａ・・内空気に微細振動が発生する。この振動が、球体１５本体に伝わりマッサージ効果へ反映される。
【図面の簡単な説明】
【００２９】
【図１】本発明であるマッサージ具の正面図である。
【図２】本発明であるマッサージ具の分解状態を示した図である。
【図３】本発明であるマッサージ具の平面図である。
【図４】本発明であるマッサージ具の斜視図である。
【図５】本発明であるマッサージ具の使用方法を示した図である。
【図６】本発明であるマッサージ具の使用方法を示した図である。
【図７】本発明であるマッサージ具の使用方法を示した図である。
【図８】本発明であるマッサージ具の第２実施例正面図である。
【符号の説明】
【００３０】
１      マッサージ具
１ａ    マッサージ具
２      支持具
３      軸棒
４      押さえ部材
４ａ    空洞部
４ｂ    凹部
５      本体
６      収納袋
６ａ    端部
７      口元紐
８      固さ調節紐
８ａ    連結部
９      固定紐
１０    球体
１１    手
１２    肩・背中
１３    足
１４    頭・首
１５    球体
１５ａ  貫通孔
【図１】
2006326079.tif 000003
【図２】
2006326079.tif 000004
【図３】
2006326079.tif 000005
【図４】
2006326079.tif 000006
【図５】
2006326079.tif 000007
【図６】
2006326079.tif 000008
【図７】
2006326079.tif 000009
【図８】
2006326079.tif 000010